(57)【要約】【課題】省電力モードを複数有していても、マスター制御部とスレーブ制御部とを接続する信号線を増加させることなく、マスター制御部からスレーブ制御部へ省電力モードの種類を伝える。【解決手段】マスター制御部とスレーブ制御部とを接続する信号線ＳＬ２，ＳＬ３を備え、マスター制御部が、信号線ＳＬ２のレベルを切り替えることによって、トリガーを発生すると共に、スリープモードから通常モードへの復帰の場合、トリガーの発生から時間Ｔ１経過時点及び時間Ｔ２経過時点の信号線ＳＬ３のレベルをＨレベルにし、ホールドモードからの復帰の場合、トリガーの発生から時間Ｔ１経過時点の信号線ＳＬ３のレベルをＨレベルにすると共に、時間Ｔ２経過時点の信号線ＳＬ３のレベルをＬレベルにし、電源オフモードからの復帰の場合、トリガーの発生から時間Ｔ１経過時点の信号線ＳＬ３のレベルをＬレベルに変化させる。【選択図】図３
2017083801.tif 000002
【特許請求の範囲】
【請求項１】
装置全体を制御するマスター制御部と、
前記マスター制御部による制御下で動作するスレーブ制御部と、
前記マスター制御部と前記スレーブ制御部とを接続する第１信号線及び第２信号線と、を備え、
前記マスター制御部は、
前記第１信号線のレベルを切り替えることによって、トリガーを発生するトリガー発生部と、
第１省電力モードから通常モードへの復帰の場合、前記トリガーの発生から予め定められた第１時間の経過時点、及び当該第１時間よりも長い予め定められた第２時間の経過時点の前記第２信号線のレベルを第１レベルにし、
第２省電力モードから前記通常モードへの復帰の場合、前記トリガーの発生から前記第１時間経過時点の前記第２信号線のレベルを前記第１レベルにすると共に、前記トリガーの発生から前記第２時間経過時点の前記第２信号線のレベルを第２レベルにし、
第３省電力モードから前記通常モードへの復帰の場合、前記トリガーの発生から前記第１時間経過時点の前記第２信号線のレベルを前記第２レベルにするレベル変更部と、を備え、
前記スレーブ制御部は、
前記トリガーの発生から前記第１時間経過時点及び前記第２時間経過時点の前記第２信号線のレベルの状態を検出し、検出したレベルの状態に基づいて、前記省電力モードの種類を判別するモード判別部を備える画像形成装置。
【請求項２】
前記レベル変更部により前記第２信号線のレベルが切り替えられる時点から前記モード判別部により前記第２信号線のレベルの状態が検出されるまでの長さが、前記第２信号線のレベルの変化に要する時間よりも長く設定されている請求項１に記載の画像形成装置。
【請求項３】
前記第１省電力モードがスリープモードであり、前記第２省電力モードがホールドモードであり、前記第３省電力モードが電源オフモードである請求項１又は請求項２に記載の画像形成装置。
【発明の詳細な説明】
【技術分野】
【０００１】
本発明は、複数の省電力モードを有する画像形成装置に関し、特に、モード切り替え時に用いる信号の作成に関する技術に関する。
【背景技術】
【０００２】
画像形成装置には、装置全体を制御するマスター制御部と、マスター制御部による制御下で、印刷ジョブを実行する機構部（例えば、モーターやヒーターの駆動）等を制御するスレーブ制御部とを備えたものがある。また、画像形成装置においては、消費電力を減らす省電力モードについて種々提案され（例えば、下記の特許文献１を参照）、そして実用化されている。
【０００３】
省電力モードから通常モードに復帰するとき、例えば、操作部を介して操作者から印刷が要求されると、マスター制御部がスレーブ制御部に対して復帰要求を行い、スレーブ制御部が復帰要求を受けると、必要なウォームアップ動作を行う。例えば、モーターやヒーターへの電力供給を開始する。
【０００４】
また、省電力モードの種類によって、スレーブ制御部で行われるウォームアップ動作は変わるため、マスター制御部は、復帰要求を行う際、省電力モードの種類をスレーブ制御部へ伝える必要がある。
【先行技術文献】
【特許文献】
【０００５】
【特許文献１】特開２０１４−４８３５８号公報
【発明の概要】
【発明が解決しようとする課題】
【０００６】
最近の画像形成装置においては、省電力モードを複数種類有するものが存在する。例えば、３種類の省電力モード（例えば、スリープ（Sleep）モード、ホールド（Hold）モード、オフ（Off）モード）を有しているものがある。３種類の省電力モードをスレーブ制御部へ伝える方法としては、種類毎に専用の信号線を設けて、マスター制御部とスレーブ制御部とを接続し、モードの種類を伝えるという方法が考えられる。
【０００７】
しかしながら、専用の信号線を設けると、省電力モードの種類の数に応じて信号線が３本に増加し、回路が複雑化してコストアップに繋がるという問題がある。
【０００８】
本発明は、上記の事情に鑑みなされたものであり、省電力モードを複数種類有していても、マスター制御部とスレーブ制御部とを接続する信号線を増加させることなく、マスター制御部からスレーブ制御部へ省電力モードの種類を伝えることを目的とする。
【課題を解決するための手段】
【０００９】
本発明の一局面に係る画像形成装置は、装置全体を制御するマスター制御部と、前記マスター制御部による制御下で動作するスレーブ制御部と、前記マスター制御部と前記スレーブ制御部とを接続する第１信号線及び第２信号線と、を備え、前記マスター制御部は、前記第１信号線のレベルを切り替えることによって、トリガーを発生するトリガー発生部と、第１省電力モードから通常モードへの復帰の場合、前記トリガーの発生から予め定められた第１時間の経過時点、及び当該第１時間よりも長い予め定められた第２時間の経過時点の前記第２信号線のレベルを第１レベルにし、第２省電力モードから前記通常モードへの復帰の場合、前記トリガーの発生から前記第１時間経過時点の前記第２信号線のレベルを前記第１レベルにすると共に、前記トリガーの発生から前記第２時間経過時点の前記第２信号線のレベルを第２レベルにし、第３省電力モードから前記通常モードへの復帰の場合、前記トリガーの発生から前記第１時間経過時点の前記第２信号線のレベルを前記第２レベルにするレベル変更部と、を備え、前記スレーブ制御部は、前記トリガーの発生から前記第１時間経過時点及び前記第２時間経過時点の前記第２信号線のレベルの状態を検出し、検出したレベルの状態に基づいて、前記省電力モードの種類を判別するモード判別部を備える。
【発明の効果】
【００１０】
本発明によれば、省電力モードの種類に応じて、第２信号線のレベルを異なる２つの時点で変化させることにより、マスター制御部からスレーブ制御部へ複数の省電力モードを区別して伝えることができる。また、省電力モードの種類の伝達に利用する信号線は、第２信号線の他に、トリガーを発生する第１信号線があれば良いので、これら制御部間の信号線を従来よりも減らすことができる。
【図面の簡単な説明】
【００１１】
【図１】本発明の第１実施形態に係る画像形成装置の構造を示した模式的な部分断面正面図である。
【図２】第１実施形態に係る画像形成装置の主要内部構成を概略的に示した機能ブロック図である。
【図３】省電力モードから通常モードに復帰するときのメイン制御部の動作を説明するためのタイミングチャートである。
【図４】省電力モードの種類と異なる２つの時点での信号線のレベルとの関係を示したテーブルである。
【図５】（Ａ）は、理想的パルス波形を示した図であり、（Ｂ）は、実際のパルス波形を示した図である。
【図６】エンジン制御部の行う処理動作の一例を示したフローチャートである。
【発明を実施するための形態】
【００１２】
以下、本発明の一実施形態に係る画像形成装置について図面を参照して説明する。図１は、本発明の第１実施形態に係る画像形成装置の構造を示した模式的な部分断面正面図である。画像形成装置１は、例えば、コピー機能、プリンター機能、スキャナー機能、及びファクシミリ機能のような複数の機能を兼ね備えた複合機であり、装置本体１１に、操作部４７、原稿給送部６、原稿読取部５、画像形成部１２、定着部１３、及び給紙部１４を含んで構成されている。
【００１３】
操作部４７は、画像形成装置１が実行可能な各種動作及び処理について操作者から画像形成動作実行指示や原稿読取動作実行指示等の指示を受け付けるものであり、操作者への操作案内等を表示する表示部４７３を備えている。
【００１４】
画像形成装置１で原稿読取動作が行われる場合について説明する。原稿給送部６により給送されてくる原稿、又は原稿載置ガラス１６１に載置された原稿の画像を、読取機構１６３を備えた原稿読取部５が光学的に読み取り、そして画像データを生成する。原稿読取部５により生成された画像データは、内蔵ＨＤＤ（Hard Disk Drive）、又はネットワーク接続されたコンピューター等に保存される。
【００１５】
画像形成装置１で画像形成動作が行われる場合について説明する。原稿読取動作により生成された画像データや、内臓ＨＤＤに記憶されている画像データ、ネットワーク接続されたコンピューターから受信した画像データ等に基づいて、画像形成部１２が、給紙部１４から給紙される記録紙（記録媒体）としての用紙Ｐにトナー像を形成する。
【００１６】
画像形成部１２は、ブラック（Ｂｋ）用の画像形成ユニット１２Ｂｋ、イエロー（Ｙ）用の画像形成ユニット１２Ｙ、シアン（Ｃ）用の画像形成ユニット１２Ｃ、及びマゼンタ（Ｍ）用の画像形成ユニット１２Ｍを含んで構成され、これら画像形成ユニット１２Ｂｋ，１２Ｙ，１２Ｃ，１２Ｍはそれぞれドラム型の感光体１２１Ｂｋ，１２１Ｙ，１２１Ｃ，１２１Ｍを備え、感光体１２１Ｂｋ，１２１Ｙ，１２１Ｃ，１２１Ｍは、図中の反時計回りに回転駆動するようになっている。
【００１７】
トナーコンテナ１７Ｂｋ，１７Ｙ，１７Ｃ，１７Ｍはそれぞれブラック用、イエロー用、シアン用、マゼンタ用のトナーを収納するものであり、感光体１２１Ｂｋ，１２１Ｙ，１２１Ｃ，１２１Ｍから離れた位置に、中間転写ベルト１２５を挟んで上方に、装置本体１１に設けられたトナーコンテナ装着部（図示せず）に着脱自在に装着されている。
【００１８】
転写ユニット１２０は、その外周面にトナー像が転写される中間転写ベルト１２５、駆動ローラー１２５ａ、従動ローラー１２５ｂ、及び一次転写ローラー１２６を含んで構成されている。
【００１９】
中間転写ベルト１２５は、駆動ローラー１２５ａと従動ローラー１２５ｂとの間に張架され、感光体１２１Ｂｋ，１２１Ｙ，１２１Ｃ，１２１Ｍの周面に当接した状態で駆動ローラー１２５ａによって駆動され、感光体１２１Ｂｋ，１２１Ｙ，１２１Ｃ，１２１Ｍと同期しながら、無端走行する。
【００２０】
次に、カラー印刷が行われる場合について説明する。感光体１２１Ｂｋ，１２１Ｙ，１２１Ｃ，１２１Ｍの周囲が一様に帯電され（帯電工程）、電荷を帯びた感光体１２１Ｂｋ，１２１Ｙ，１２１Ｃ，１２１Ｍの表面に、画像データに基づいて、レーザー光が照射されて潜像が形成され（露光工程）、潜像がトナーで可視像化され（現像工程）、可視像化することによって形成されたトナー像が一次転写ローラー１２６によって中間転写ベルト１２５上に転写されるようになっている。
【００２１】
中間転写ベルト１２５上に転写される各色（ブラック、イエロー、シアン、マゼンタ）のトナー像は、転写タイミングを調整して中間転写ベルト１２５上で重ね合わされ、カラーのトナー像となる。
【００２２】
二次転写ローラー２１０は、中間転写ベルト１２５の表面に形成されたカラーのトナー像を、中間転写ベルト１２５を挟んだ、駆動ローラー１２５ａとのニップ部Ｎにおいて、給紙部１４から搬送路１９０を搬送されてきた用紙Ｐに転写させるものである。なお、ここまで説明したのはカラー印刷の場合であり、モノクロ印刷の場合には、イエロー用、シアン用、及びマゼンタ用の感光体１２１Ｙ，１２１Ｃ，１２１Ｍは使用されず、ブラック用の感光体１２１Ｂｋだけが使用されることになる。
【００２３】
定着部１３は、熱圧着によりトナー像を用紙Ｐに定着させるものであり、定着処理が施されたカラー画像形成済みの用紙Ｐは、排出トレイ１５１に排出されることになる。
【００２４】
給紙部１４は、複数の給紙カセット１４１を備え、及び各給紙カセット１４１に収容された記録紙をピックアップするためのピックアップローラー１４５を含んで構成され、操作者による指示等で指定されたサイズの記録紙をピックアップするように、対応するピックアップローラー１４５を回転駆動させる。ピックアップローラー１４５によりピックアップされた用紙Ｐは、搬送ローラー対１９によって、ニップ部Ｎに搬送される。
【００２５】
図２は、画像形成装置１の主要内部構成を概略的に示した機能ブロック図である。画像形成装置１は、制御ユニット１０、原稿給送部６、原稿読取部５、画像形成部１２、画像メモリー３２、ＨＤＤ９２、定着部１３、給紙部１４、操作部４７、ファクシミリ通信部７１、及びネットワークインターフェイス部９１を含んで構成されている。なお、図１に示した画像形成装置１と同様の構成部分については同符号を付し、ここではその詳しい説明を省略する。
【００２６】
原稿給送部６は、読取対象の原稿を原稿読取部５へ給送する。
【００２７】
原稿読取部５は、制御ユニット１０を構成するエンジン制御部１１０による制御の下、光照射部及びＣＣＤ（Charge Coupled Device）センサー等を有する読取機構１６３（図１）を備えており、原稿読取部５は、光照射部を使って原稿を照射し、その反射光をＣＣＤセンサーで受光することによって、原稿から画像を読み取る。
【００２８】
画像形成部１２は、印刷すべき画像のトナー像を用紙上に形成する。
【００２９】
画像メモリー３２は、原稿読取部５による読み取りで得られた原稿の画像データを一時的に記憶したり、画像形成部１２のプリント対象となるデータを一時的に保存したりするための領域である。
【００３０】
ＨＤＤ９２は、原稿読取部５によって読み取られた原稿画像等を記憶する大容量の記憶装置である。
【００３１】
定着部１３は、用紙上のトナー像を、熱圧着により用紙に定着させる。
【００３２】
給紙部１４は、給紙カセット１４１（図１）を備え、給紙カセット１４１に収容された用紙をピックアップして搬送する。
【００３３】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００３４】
ファクシミリ通信部７１は、図示しない符号化・複合化部、変復調部、及びＮＣＵ（Network Control Unit）等を備え、公衆電話回線網を用いてのファクシミリの通信を行うものである。
【００３５】
ネットワークインターフェイス部９１は、ＬＡＮ（Local Area Network）ボード等の通信モジュールを含んで構成され、ネットワークインターフェイス部９１に接続されたＬＡＮ等を介して、ローカルエリア内、又はインターネット上のパーソナルコンピューター（パソコン）等の外部装置２０と種々のデータの送受信を行うものである。
【００３６】
制御ユニット１０は、画像形成装置１の全体的な動作制御を司るメイン制御部１００とメイン制御部１００による制御下で動作するエンジン制御部１１０とを備え、メイン制御部１００とエンジン制御部１１０とは、信号線ＳＬ１〜ＳＬ３を介して接続されている。なお、メイン制御部１００及びエンジン制御部１１０はそれぞれ、特許請求の範囲におけるマスター制御部、スレーブ制御部の一例となる。
【００３７】
信号線ＳＬ１は、通常モードのとき、メイン制御部１００とエンジン制御部１１０との間で、種々の情報を送受信するものである。省電力モード（スリープモード、ホールドモード、電源オフモードの３種類）のときは、電力供給が制限され、信号線ＳＬ１を介した通信機能は停止される。
【００３８】
信号線ＳＬ２，ＳＬ３は、メイン制御部１００からエンジン制御部１１０に対して信号を送信するものである。なお、信号線ＳＬ２，ＳＬ３はそれぞれ、特許請求の範囲における第１信号線、第２信号線の一例となる。
【００３９】
メイン制御部１００及びエンジン制御部１１０はＣＰＵ（Central Processing Unit）、ＲＡＭ（Random Access Memory）、ＲＯＭ（Read Only Memory）、及び専用のハードウェア回路を含んで構成される。
【００４０】
メイン制御部１００は、メイン制御部１００全体の動作を制御する統括部１０１と、モード移行部１０２と、トリガー発生部１０３と、レベル変更部１０４とを備えている。
【００４１】
メイン制御部１００は、ＨＤＤ９２等にインストールされている制御プログラムに従った動作により、統括部１０１、モード移行部１０２、トリガー発生部１０３、及びレベル変更部１０４として機能するものである。但し、統括部１０１等は、メイン制御部１００による制御プログラムに従った動作によらず、それぞれハードウェア回路により構成することも可能である。以下、特に触れない限り、各実施形態について同様である。
【００４２】
統括部１０１は、例えば、操作部４７、ファクシミリ通信部７１、及びネットワークインターフェイス部９１と接続され、さらにエンジン制御部１１０を介して、原稿給送部６、原稿読取部５、画像形成部１２、画像メモリー３２、ＨＤＤ９２、定着部１３、及び給紙部１４と接続され、これら各部の駆動制御を行う。
【００４３】
モード移行部１０２は、一定時間操作部４７が操作されない状態が続いたとき、又は、画像形成装置１が一定時間動作しないときに（以下、これら両者を含めて「操作されないとき」として記す）、原稿給送部６や原稿読取部５等への電力供給を停止することによって、画像形成装置１を省電力モードへ移行させる。例えば、モード移行部１０２は、操作されない状態が１０分経過したとき、スリープ（Sleep）モードへ移行させ、操作されない状態が２０分経過したとき、スリープモードよりも電力の消費を一段低くするホールド（Hold）モードへ移行させ、操作されない状態が３０分経過したとき、電源が切れた状態となる電源オフ（Off）モードへ移行させる。
【００４４】
トリガー発生部１０３は、省電力モードから通常モードへの復帰時に、信号線ＳＬ２のレベルを切り替えることによって、トリガーを発生する。
【００４５】
レベル変更部１０４は、省電力モードから通常モードへの復帰時に、省電力モードの種類に応じて、信号線ＳＬ３のレベルを切り替える。
【００４６】
エンジン制御部１１０は、エンジン制御部１１０全体の動作を制御する統括部１１１と、モード判別部１１２と、復帰部１１３とを備えている。
【００４７】
エンジン制御部１１０は、ＨＤＤ９２等にインストールされている制御プログラムに従った動作により、統括部１１１、モード判別部１１２、及び復帰部１１３として機能するものである。
【００４８】
統括部１１１は、例えば、原稿給送部６、原稿読取部５、画像形成部１２、画像メモリー３２、ＨＤＤ９２、定着部１３、及び給紙部１４と接続され、これら各部の駆動制御を行う。
【００４９】
モード判別部１１２は、信号線ＳＬ２，ＳＬ３のレベルの状態に基づいて、省電力モードの種類を判別する。
【００５０】
復帰部１１３は、モード判別部１１２による判別結果に応じた復帰処理を行う。
【００５１】
図３は、省電力モードから通常モードに復帰するときのメイン制御部１００の動作を説明するためのタイミングチャートである。省電力モードのときに、例えば、操作部４７が操作されて、操作者から印刷が要求されると、トリガー発生部１０３が信号線ＳＬ２のレベルをLowレベル（以降、Ｌレベルと記す。特許請求の範囲における第２レベルの一例）からHighレベル（以降、Ｈレベルと記す。特許請求の範囲における第１レベルの一例）に切り替えることによって、トリガーを発生し、レベル変更部１０４は、省電力モードの種類に応じて、信号線ＳＬ３のレベルを切り替える。なお、特許請求の範囲における第１及び第２レベルは、一方のレベルがＨレベル、他方のレベルがＬレベルとされていればよい。
【００５２】
図中のＰａは、トリガーの発生時点及び信号線ＳＬ３のレベルを切り替える第１時点を示し、図中のＰｂは、信号線ＳＬ３のレベルを切り替える第２時点を示している。また、図中のＰ１，Ｐ２は、モード判別部１１２が、信号線ＳＬ３のレベルの状態を検出する時点を示しており、時点Ｐ１，Ｐ２はそれぞれトリガーの発生（時点Ｐａ）から予め定められた時間Ｔ１，Ｔ２が経過した時点である。なお、時間Ｔ１，Ｔ２はそれぞれ、特許請求の範囲における第１時間、第２時間の一例となる。
【００５３】
図３（Ａ）は、スリープモードから復帰する場合の信号線ＳＬ３のレベルを示す。レベル変更部１０４は、トリガーが発生した時に（時点Ｐａ）、信号線ＳＬ３のレベルをＬレベルからＨレベルに切り替え、トリガーの発生から少なくとも時間Ｔ２が経過するまで（時点Ｐ２の到達まで）、信号線ＳＬ３のレベルをＨレベルに保持する。
【００５４】
図３（Ｂ）は、ホールドモードから復帰する場合の信号線ＳＬ３のレベルを示す。レベル変更部１０４は、トリガーが発生した時に（時点Ｐａ）、信号線ＳＬ３のレベルをＬレベルからＨレベルに切り替え、トリガーの発生から少なくとも時間Ｔ１が経過するまで（時点Ｐ１の到達まで）、信号線ＳＬ３のレベルをＨレベルに保持し、その後、時点Ｐｂにおいて、信号線ＳＬ３のレベルをＬレベルに切り替え、トリガーの発生から少なくとも時間Ｔ２が経過するまで（時点Ｐ２の到達まで）、信号線ＳＬ３のレベルをＬレベルに保持する。
【００５５】
図３（Ｃ）は、電源オフモードから復帰する場合の信号線ＳＬ３のレベルを示す。レベル変更部１０４は、トリガーが発生した時から（時点Ｐａ）、少なくとも時間Ｔ１が経過するまで（時点Ｐ１の到達まで）、信号線ＳＬ３のレベルをＬレベルに保持する。
【００５６】
図４は、省電力モードの種類と時点Ｐ１，Ｐ２での信号線ＳＬ３のレベルとの関係を示したテーブルであり、スリープモードからの復帰の場合、信号線ＳＬ３のレベルが時点Ｐ１，Ｐ２でＨレベルであることが示されている。また、ホールドモードからの復帰の場合、信号線ＳＬ３のレベルが時点Ｐ１でＨレベル、時点Ｐ２でＬレベルであることが示され、電源オフモードからの復帰の場合、信号線ＳＬ３のレベルが時点Ｐ１，Ｐ２でＬレベルであることが示されている。
【００５７】
図５（Ａ）は、理想的なパルス波形を示しているが、実際のパルス波形では、図５（Ｂ）に示すようにレベルの変化（立ち上がり、立下り）に時間を要するので、時点Ｐａ，Ｐｂでは、信号線ＳＬ３のレベルは実際には切り替わっていないことが考えられる。そのため、レベル変更部１０４により信号線ＳＬ３のレベルが切り替えられる時点Ｐａから、モード判別部１１２により信号線ＳＬ３のレベルの状態が検出される時点Ｐ１までの長さが、信号線ＳＬ３のレベルの変化に要する時間よりも長く設定されている。同様に、時点Ｐｂから時点Ｐ２までの長さについても、信号線ＳＬ３のレベルの変化に要する時間よりも長く設定されている。
【００５８】
次に、エンジン制御部１１０で行われる処理動作の一例について、図６に示したフローチャートに基づいて説明する。なお、この処理動作は、モード判別部１１２が、信号線ＳＬ２のレベルがＬレベルからＨレベルに切り替わったこと（すなわち、トリガーの発生）を検出したときに行われる動作である。
【００５９】
まず、モード判別部１１２が、信号線ＳＬ２のレベルがＬレベルからＨレベルに切り替わった時点から時間の計測を開始し（Ｓ１）、モード判別部１１２が、時間の計測を開始してから時間Ｔ１が経過したか否かを判断し（Ｓ２）、モード判別部１１２が、時間Ｔ１が経過した（すなわち、時点Ｐ１に到達した）と判断すれば（Ｓ２でＹＥＳ）、モード判別部１１２が、信号線ＳＬ３のレベルがＨレベルであるか否かを判断する（Ｓ３）。一方、モード判別部１１２が、時間Ｔ１が経過していないと判断すれば（Ｓ２でＮＯ）、Ｓ２へ戻る。
【００６０】
モード判別部１１２が、信号線ＳＬ３のレベルがＨレベルではない（Ｌレベルである）と判断すれば（Ｓ３でＮＯ）、モード判別部１１２は、省電力モードは電源オフモードであると判断し（Ｓ４）、復帰部１１３が、電源オフモードからの復帰処理を行う（Ｓ５）。
【００６１】
一方、モード判別部１１２が、信号線ＳＬ３のレベルがＨレベルであると判断すれば（Ｓ３でＹＥＳ）、モード判別部１１２が、時間の計測を開始してから時間Ｔ２が経過したか否かを判断し（Ｓ６）、モード判別部１１２が、時間Ｔ２が経過した（すなわち、時点Ｐ２に到達した）と判断すれば（Ｓ６でＹＥＳ）、モード判別部１１２が、信号線ＳＬ３のレベルがＨレベルであるか否かを判断する（Ｓ７）。一方、モード判別部１１２が、時間Ｔ２が経過していないと判断すれば（Ｓ６でＮＯ）、Ｓ６へ戻る。
【００６２】
モード判別部１１２が、信号線ＳＬ３のレベルがＨレベルであると判断すれば（Ｓ７でＹＥＳ）、モード判別部１１２は、省電力モードはスリープモードであると判断し（Ｓ８）、復帰部１１３が、スリープモードからの復帰処理を行う（Ｓ９）。
【００６３】
一方、モード判別部１１２が、信号線ＳＬ３のレベルがＨレベルではない（Ｌレベルである）と判断すれば（Ｓ７でＮＯ）、モード判別部１１２は、省電力モードはホールドモードであると判断し（Ｓ１０）、復帰部１１３が、ホールドモードからの復帰処理を行う（Ｓ１１）。
【００６４】
上記実施形態によれば、省電力モードの種類に応じて、信号線ＳＬ３のレベルを異なる２つの時点Ｐａ，Ｐｂで変化させることにより、メイン制御部１００からエンジン制御部１１０へ複数（本実施形態では３種類）の省電力モードを伝えることができる。また、省電力モードの種類の伝達に利用する信号線は、信号線ＳＬ３の他に、トリガーを発生する信号線ＳＬ２があれば良いので、これら制御部間の信号線を減らすことができる。
【００６５】
また、上記実施形態では、モード判別部１１２が、信号線ＳＬ２のレベルがＬレベルからＨレベルに切り替わった時点から時間の計測を開始して、この計測開始時点からの経過時間である時間Ｔ１，Ｔ２の経過時における信号線ＳＬ３のレベルに基づいてモードを判別するため、例えば、レベル変更部１０４による信号線ＳＬ２のレベル変更開始タイミングを、信号線ＳＬ１のレベル変更開始タイミングと同時としていた場合に、信号線ＳＬ２のレベル変更開始タイミングが、信号線ＳＬ１のレベル変更開始タイミングよりも遅れたとしても、正確にレベル判定を行うことができる。
【００６６】
本発明は上記実施の形態の構成に限られず種々の変形が可能である。また、上記実施形態では、本発明に係る通信装置の一実施形態として画像形成装置の複合機を用いて説明しているが、これは一例に過ぎず、他の電子機器、例えば、コピー機能、ファクシミリ機能を有した他の画像形成装置でもよい。
【００６７】
また、図１乃至図６を用いて上記実施形態により示した構成及び処理は、本発明の一実施形態に過ぎず、本発明を当該構成及び処理に限定する趣旨ではない。
【符号の説明】
【００６８】
１        画像形成装置
１０      制御ユニット
１００    メイン制御部
１０３    トリガー発生部
１０４    レベル変更部
１１０    エンジン制御部
１１２    モード判別部
ＳＬ２，ＳＬ３  信号線
【図１】
2017083801.tif 000003
【図２】
2017083801.tif 000004
【図３】
2017083801.tif 000005
【図４】
2017083801.tif 000006
【図５】
2017083801.tif 000007
【図６】
2017083801.tif 000008